(57)【要約】【課題】セキュリティ性を向上させたＩＤ発行システム及びＩＤ発行方法を提供する。【解決手段】サーバ装置６０では第２の送受信器３０のシリアルナンバーの照合を行い、照合結果が正規であれば第２の送受信器ＩＤを発行、記憶して第２の送受信器３０へ送信し、第２の送受信器３０で第２の送受信器ＩＤを取得する。次にデータの人体伝送が可能になると、サーバ装置６０は取得した第１の送受信器１０及び第２の送受信器３０の各シリアルナンバーの照合を行い、その照合結果を第２の送受信器３０に送信し、第２の送受信器３０はその照合結果が正規であれば第１の送受信器ＩＤを発行且つ記憶して、第１の送受信器ＩＤ及び第２の送受信器ＩＤを第１の送受信器１０へ送信し、第１の送受信器１０は第１の送受信器ＩＤ及び第２の送受信器ＩＤを取得する。【選択図】        図１
2004178219.tif 000002
【特許請求の範囲】
【請求項１】
自器のシリアルナンバーを記憶した記憶媒体と、自器のシリアルナンバーを記憶して記憶媒体とデータ通信を行う機器と、機器とデータ通信を行うサーバ装置とから構成され、
サーバ装置は、記憶媒体及び機器の各シリアルナンバーを取得する手段と、記憶媒体及び機器のシリアルナンバーが正規であるか否かを照合する手段と、機器のシリアルナンバーの照合結果が正規であれば機器ＩＤを発行して機器に送信する手段と、機器ＩＤを記憶する手段と、記憶媒体及び機器の各シリアルナンバーの照合結果を機器に送信する手段とを備え、
機器は、サーバ装置から取得した機器ＩＤを記憶する手段と、サーバ装置で行った記憶媒体及び機器の各シリアルナンバーの照合結果が正規であれば記憶媒体ＩＤを発行して記憶媒体ＩＤ及び機器ＩＤを記憶媒体へ送信する手段と、記憶媒体ＩＤを記憶する手段とを備え、
記憶媒体は、機器から取得した記憶媒体ＩＤ及び機器ＩＤを記憶する手段を備えることを特徴とするＩＤ発行システム。
【請求項２】
自器のシリアルナンバーを記憶した記憶媒体と、自器のシリアルナンバーを記憶して記憶媒体とデータ通信を行う機器と、機器とデータ通信を行うサーバ装置とから構成されるシステムのＩＤ発行方法において、
機器が新規に設置されてサーバ装置との通信が可能になると、機器は機器のシリアルナンバーをサーバ装置へ送信して、サーバ装置は取得した機器のシリアルナンバーが正規であるか否かを照合し、機器のシリアルナンバーの照合結果が正規であれば機器ＩＤを発行、記憶すると共に機器へ送信し、機器は取得した機器ＩＤを記憶すると共に記憶媒体とのデータ通信の起動を行って、機器の設定が完了し、
次に記憶媒体が記憶媒体のシリアルナンバーを機器へ送信すると、機器は記憶媒体及び機器の各シリアルナンバーをサーバ装置へ送信し、サーバ装置は取得した記憶媒体及び機器の各シリアルナンバーが正規であるか否かを照合して、記憶媒体及び機器の各シリアルナンバーの照合結果を機器に送信し、機器はサーバ装置で行った記憶媒体及び機器の各シリアルナンバーの照合結果が正規であれば記憶媒体ＩＤを発行、記憶すると共に、記憶媒体ＩＤ及び機器ＩＤを記憶媒体へ送信して、記憶媒体は取得した記憶媒体ＩＤ及び機器ＩＤを記憶して記憶媒体のＩＤ設定が完了することを特徴とするＩＤ発行方法。
【請求項３】
自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成され、
サーバ装置は、記憶媒体、機器及び機器管理装置の各シリアルナンバーを取得する手段と、記憶媒体、機器及び機器管理装置の各シリアルナンバーが正規であるか否かを照合する手段と、機器及び機器管理装置の各シリアルナンバーの照合結果が正規であれば機器管理装置ＩＤを発行して機器管理装置ＩＤと機器の起動信号とを機器管理装置に送信する手段と、機器管理装置ＩＤを記憶する手段と、記憶媒体、機器及び機器管理装置の各シリアルナンバーの照合結果を機器管理装置に送信する手段とを備え、
機器管理装置は、サーバ装置から取得した機器管理装置ＩＤを記憶する手段と、サーバ装置で行った記憶媒体、機器及び機器管理装置の各シリアルナンバーの照合結果が正規であれば記憶媒体ＩＤを発行して記憶媒体ＩＤ及び機器管理装置ＩＤを機器へ送信する手段と、記憶媒体ＩＤを記憶する手段とを備え、
機器は、機器管理装置から取得した記憶媒体ＩＤ及び機器管理装置ＩＤを記憶媒体へ送信する手段と、機器管理装置ＩＤを記憶する手段とを備え、
記憶媒体は、機器から取得した記憶媒体ＩＤ及び機器管理装置ＩＤを記憶する手段を備えることを特徴とするＩＤ発行システム。
【請求項４】
自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成されるシステムのＩＤ発行方法において、
機器及び機器管理装置が新規に設置されて機器とサーバ装置との機器管理装置を介した通信が可能になると、機器は機器のシリアルナンバーを機器管理装置へ送信し、機器管理装置は機器及び機器管理装置の各シリアルナンバーをサーバ装置へ送信し、サーバ装置は取得した機器及び機器管理装置の各シリアルナンバーが正規であるか否かを照合し、機器及び機器管理装置の各シリアルナンバーの照合結果が正規であれば機器管理装置ＩＤを発行、記憶すると共に、機器管理装置ＩＤと機器の起動信号とを機器管理装置へ送信し、そして機器管理装置は取得した機器管理装置ＩＤを記憶すると共に機器の起動信号を機器へ送信して、機器は起動信号によって記憶媒体とのデータ通信の起動を行い、機器及び機器管理装置の設定が完了し、
次に記憶媒体が記憶媒体のシリアルナンバーを機器へ送信すると、機器は記憶媒体及び機器の各シリアルナンバーを機器管理装置へ送信し、機器管理装置は記憶媒体、機器及び機器管理装置の各シリアルナンバーをサーバ装置へ送信し、サーバ装置は取得した記憶媒体、機器及び機器管理装置の各シリアルナンバーが正規であるか否かを照合して、記憶媒体、機器及び機器管理装置の各シリアルナンバーの照合結果を機器管理装置に送信し、機器管理装置はサーバ装置で行った記憶媒体、機器及び機器管理装置の各シリアルナンバーの照合結果が正規であれば記憶媒体ＩＤを発行、記憶すると共に、記憶媒体ＩＤ及び機器管理装置ＩＤを機器へ送信し、機器は機器管理装置ＩＤを記憶すると共に記憶媒体ＩＤ及び機器管理装置ＩＤを記憶媒体へ送信して、記憶媒体は取得した記憶媒体ＩＤ及び機器管理装置ＩＤを記憶して記憶媒体のＩＤ設定が完了することを特徴とするＩＤ発行方法。
【請求項５】
自器のシリアルナンバーを記憶した記憶媒体と、自器のシリアルナンバーを記憶して記憶媒体とデータ通信を行う機器と、機器とデータ通信を行うサーバ装置とから構成され、
サーバ装置は、記憶媒体及び機器のシリアルナンバーを取得する手段と、記憶媒体及び機器のシリアルナンバーが正規であるか否かを照合する手段と、機器のシリアルナンバーの照合結果が正規であれば機器の起動信号を機器に送信する手段と、記憶媒体及び機器の各シリアルナンバーの照合結果が正規であれば記憶媒体ＩＤを発行して機器に送信する手段と、記憶媒体ＩＤを記憶する手段とを備え、
機器は、サーバ装置から取得した記憶媒体ＩＤを記憶媒体へ送信する手段を備え、
記憶媒体は、機器から取得した記憶媒体ＩＤを記憶する手段を備えることを特徴とするＩＤ発行システム。
【請求項６】
自器のシリアルナンバーを記憶した記憶媒体と、自器のシリアルナンバーを記憶して記憶媒体とデータ通信を行う機器と、機器とデータ通信を行うサーバ装置とから構成されるシステムのＩＤ発行方法において、
機器が新規に設置されてサーバ装置との通信が可能になると、機器は機器のシリアルナンバーをサーバ装置へ送信して、サーバ装置は取得した機器のシリアルナンバーが正規であるか否かを照合し、機器のシリアルナンバーの照合結果が正規であれば機器の起動信号を機器へ送信し、機器は記憶媒体とのデータ通信の起動を行って、機器の設定が完了し、
次に記憶媒体が記憶媒体のシリアルナンバーを機器へ送信すると、機器は記憶媒体及び機器の各シリアルナンバーをサーバ装置へ送信し、サーバ装置は取得した記憶媒体及び機器の各シリアルナンバーが正規であるか否かを照合して、記憶媒体及び機器の各シリアルナンバーの照合結果が正規であれば記憶媒体ＩＤを発行、記憶すると共に機器へ送信し、機器は記憶媒体ＩＤを記憶媒体へ送信して、記憶媒体は取得した記憶媒体ＩＤを記憶して記憶媒体のＩＤ設定が完了することを特徴とするＩＤ発行方法。
【請求項７】
自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成され、
サーバ装置は、記憶媒体、機器及び機器管理装置の各シリアルナンバーを取得する手段と、記憶媒体、機器及び機器管理装置の各シリアルナンバーが正規であるか否かを照合する手段と、機器及び機器管理装置の各シリアルナンバーの照合結果が正規であれば機器の起動信号を機器管理装置に送信する手段と、記憶媒体、機器及び機器管理装置の各シリアルナンバーの照合結果が正規であれば記憶媒体ＩＤを発行して機器管理装置に送信する手段と、記憶媒体ＩＤを記憶する手段とを備え、
機器管理装置は、サーバ装置から取得した記憶媒体ＩＤ及び機器の起動信号を機器へ送信する手段を備え、
機器は、機器管理装置から取得した記憶媒体ＩＤを記憶媒体へ送信する手段を備え、
記憶媒体は、機器から取得した記憶媒体ＩＤを記憶する手段を備えることを特徴とするＩＤ発行システム。
【請求項８】
自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成されるシステムのＩＤ発行方法において、
機器及び機器管理装置が新規に設置されて機器とサーバ装置との機器管理装置を介した通信が可能になると、機器は機器のシリアルナンバーを機器管理装置へ送信し、機器管理装置は機器及び機器管理装置の各シリアルナンバーをサーバ装置へ送信し、サーバ装置は取得した機器及び機器管理装置の各シリアルナンバーが正規であるか否かを照合し、機器及び機器管理装置の各シリアルナンバーの照合結果が正規であれば機器の起動信号を機器管理装置へ送信し、機器管理装置は機器の起動信号を機器へ送信して、機器は記憶媒体とのデータ通信の起動を行って、機器及び機器管理装置の設定が完了し、
次に記憶媒体が記憶媒体のシリアルナンバーを機器へ送信すると、機器は記憶媒体及び機器の各シリアルナンバーを機器管理装置へ送信し、機器管理装置は記憶媒体、機器及び機器管理装置の各シリアルナンバーをサーバ装置へ送信し、サーバ装置は取得した記憶媒体、機器及び機器管理装置の各シリアルナンバーが正規であるか否かを照合して、記憶媒体、機器及び機器管理装置の各シリアルナンバーの照合結果が正規であれば記憶媒体ＩＤを発行、記憶すると共に機器管理装置に送信し、機器管理装置は記憶媒体ＩＤを機器へ送信して、機器は記憶媒体ＩＤを記憶媒体へ送信し、記憶媒体は取得した記憶媒体ＩＤを記憶して記憶媒体のＩＤ設定が完了することを特徴とするＩＤ発行方法。
【請求項９】
記憶媒体は、電池と、人体に直接接触して人体を介して大地と電気的に接続される基準電位用電極と、前記基準電位用電極と離間して配置され、人体に直接接触する信号電極と、送信すべき第１のデータを保存するデータメモリと、前記電池によって選択的に通電され、前記第１のデータを第１の変調電圧信号に変換する第１の変調器と、前記電池によって選択的に通電され、前記信号電極と前記基準電位用電極との間に第１の変調電圧信号を印加する第１の信号送信器と、前記電池によって常に通電され、前記信号電極を介してスタート信号を検出するスタート信号検出器と、前記電池によって常に通電され、前記スタート信号検出器に結合されて上記スタート信号を受けたときに前記第１の変調器及び前記第１の信号送信器に通電して前記第１の変調電圧信号を発生させる第１のコントローラとを備え、
機器は、大地に結合される回路グランドと、前記記憶媒体を装着した人体の一部に直接接触される１つのタッチ電極と、前記タッチ電極と前記回路グランドとの間に接続され、前記第１の変調電圧信号を検出する第２の信号検出器と、前記第１の変調電圧信号を前記第１のデータに変換する第２の復調器と、前記スタート信号を生成し、前記タッチ電極を介して前記スタート信号を送出するスタート信号発生器と、前記タッチ電極に接続され、前記タッチ電極に人体が触れたときにタッチ信号を発生するタッチセンサと、前記タッチ信号を受けたときに前記スタート信号発生器を通電させて前記スタート信号を発生させ、記憶媒体から機器へのデータ伝送を可能にする第２のコントローラと、外部とデータ通信を行う通信部とを備えることを特徴とする請求項１，３，５，７いずれか記載のＩＤ発行システム。
【発明の詳細な説明】
【０００１】
【発明の属する技術分野】
本発明は、ＩＤ発行システム及びＩＤ発行方法に関するものである。
【０００２】
【従来の技術】
従来例１として、人に識別データを登録した電子キーが装着され、錠機構、錠機構を開閉するための電子錠装置、及び人が接触可能な接触電極が設けられた対象物の接触電極に人が触れることによって、電子キーと電子鍵装置との間に人を通る伝送路が形成され、電子キーから電子鍵装置に人を通して識別データが伝送され、電子錠装置は識別データが既定条件を満たしておれば錠機構を開閉する電子錠システムがある。
【０００３】
この電子キーにはインタフェースが設けられ、インタフェースを通して識別データの読出と書込とが可能になっており、インタフェースにはリーダライタを接続可能であって、リーダライタにより電子キーに対する識別データの読出と書込とが行われる。
【０００４】
また従来例２として、サーバが、ゲーム装置に使用されたＣＤ−ＲＯＭのシリアルナンバーとゲーム装置の装置ＩＤとを関連付けてデータベース上に登録することで、どのＣＤ−ＲＯＭがどのゲーム装置で使用されたかを管理するセキュリティシステムがある。（例えば、特許文献１参照。）。
【０００５】
【特許文献１】
特開２００２−１８９６３６号公報（４頁右欄第５行〜５頁左欄第２８行、図１）
【０００６】
【発明が解決しようとする課題】
しかし上記従来例１では、電子キーと通信するリーダライタが正規なものかどうかを判別しておらず、そのセキュリティ性が低く、さらには電子キーを用いる設備あるいは機器が複数台ある場合の対応が不充分であるといった問題点がある。
【０００７】
また上記従来例２においても、ＣＤ−ＲＯＭやゲーム装置が正規なものかどうかを判別しておらず、そのセキュリティ性が低いという問題点がある。
【０００８】
本発明は、上記事由に鑑みてなされたものであり、その目的は、セキュリティ性を向上させたＩＤ発行システム及びＩＤ発行方法を提供することにある。
【０００９】
【課題を解決するための手段】
請求項１の発明は、自器のシリアルナンバーを記憶した記憶媒体と、自器のシリアルナンバーを記憶して記憶媒体とデータ通信を行う機器と、機器とデータ通信を行うサーバ装置とから構成され、サーバ装置は、記憶媒体及び機器の各シリアルナンバーを取得する手段と、記憶媒体及び機器のシリアルナンバーが正規であるか否かを照合する手段と、機器のシリアルナンバーの照合結果が正規であれば機器ＩＤを発行して機器に送信する手段と、機器ＩＤを記憶する手段と、記憶媒体及び機器の各シリアルナンバーの照合結果を機器に送信する手段とを備え、機器は、サーバ装置から取得した機器ＩＤを記憶する手段と、サーバ装置で行った記憶媒体及び機器の各シリアルナンバーの照合結果が正規であれば記憶媒体ＩＤを発行して記憶媒体ＩＤ及び機器ＩＤを記憶媒体へ送信する手段と、記憶媒体ＩＤを記憶する手段とを備え、記憶媒体は、機器から取得した記憶媒体ＩＤ及び機器ＩＤを記憶する手段を備えることを特徴とする。
【００１０】
請求項２の発明は、自器のシリアルナンバーを記憶した記憶媒体と、自器のシリアルナンバーを記憶して記憶媒体とデータ通信を行う機器と、機器とデータ通信を行うサーバ装置とから構成されるシステムのＩＤ発行方法において、機器が新規に設置されてサーバ装置との通信が可能になると、機器は機器のシリアルナンバーをサーバ装置へ送信して、サーバ装置は取得した機器のシリアルナンバーが正規であるか否かを照合し、機器のシリアルナンバーの照合結果が正規であれば機器ＩＤを発行、記憶すると共に機器へ送信し、機器は取得した機器ＩＤを記憶すると共に記憶媒体とのデータ通信の起動を行って、機器の設定が完了し、次に記憶媒体が記憶媒体のシリアルナンバーを機器へ送信すると、機器は記憶媒体及び機器の各シリアルナンバーをサーバ装置へ送信し、サーバ装置は取得した記憶媒体及び機器の各シリアルナンバーが正規であるか否かを照合して、記憶媒体及び機器の各シリアルナンバーの照合結果を機器に送信し、機器はサーバ装置で行った記憶媒体及び機器の各シリアルナンバーの照合結果が正規であれば記憶媒体ＩＤを発行、記憶すると共に、記憶媒体ＩＤ及び機器ＩＤを記憶媒体へ送信して、記憶媒体は取得した記憶媒体ＩＤ及び機器ＩＤを記憶して記憶媒体のＩＤ設定が完了することを特徴とする。
【００１１】
請求項３の発明は、自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成され、サーバ装置は、記憶媒体、機器及び機器管理装置の各シリアルナンバーを取得する手段と、記憶媒体、機器及び機器管理装置の各シリアルナンバーが正規であるか否かを照合する手段と、機器及び機器管理装置の各シリアルナンバーの照合結果が正規であれば機器管理装置ＩＤを発行して機器管理装置ＩＤと機器の起動信号とを機器管理装置に送信する手段と、機器管理装置ＩＤを記憶する手段と、記憶媒体、機器及び機器管理装置の各シリアルナンバーの照合結果を機器管理装置に送信する手段とを備え、機器管理装置は、サーバ装置から取得した機器管理装置ＩＤを記憶する手段と、サーバ装置で行った記憶媒体、機器及び機器管理装置の各シリアルナンバーの照合結果が正規であれば記憶媒体ＩＤを発行して記憶媒体ＩＤ及び機器管理装置ＩＤを機器へ送信する手段と、記憶媒体ＩＤを記憶する手段とを備え、機器は、機器管理装置から取得した記憶媒体ＩＤ及び機器管理装置ＩＤを記憶媒体へ送信する手段と、機器管理装置ＩＤを記憶する手段とを備え、記憶媒体は、機器から取得した記憶媒体ＩＤ及び機器管理装置ＩＤを記憶する手段を備えることを特徴とする。
【００１２】
請求項４の発明は、自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成されるシステムのＩＤ発行方法において、機器及び機器管理装置が新規に設置されて機器とサーバ装置との機器管理装置を介した通信が可能になると、機器は機器のシリアルナンバーを機器管理装置へ送信し、機器管理装置は機器及び機器管理装置の各シリアルナンバーをサーバ装置へ送信し、サーバ装置は取得した機器及び機器管理装置の各シリアルナンバーが正規であるか否かを照合し、機器及び機器管理装置の各シリアルナンバーの照合結果が正規であれば機器管理装置ＩＤを発行、記憶すると共に、機器管理装置ＩＤと機器の起動信号とを機器管理装置へ送信し、そして機器管理装置は取得した機器管理装置ＩＤを記憶すると共に機器の起動信号を機器へ送信して、機器は起動信号によって記憶媒体とのデータ通信の起動を行い、機器及び機器管理装置の設定が完了し、次に記憶媒体が記憶媒体のシリアルナンバーを機器へ送信すると、機器は記憶媒体及び機器の各シリアルナンバーを機器管理装置へ送信し、機器管理装置は記憶媒体、機器及び機器管理装置の各シリアルナンバーをサーバ装置へ送信し、サーバ装置は取得した記憶媒体、機器及び機器管理装置の各シリアルナンバーが正規であるか否かを照合して、記憶媒体、機器及び機器管理装置の各シリアルナンバーの照合結果を機器管理装置に送信し、機器管理装置はサーバ装置で行った記憶媒体、機器及び機器管理装置の各シリアルナンバーの照合結果が正規であれば記憶媒体ＩＤを発行、記憶すると共に、記憶媒体ＩＤ及び機器管理装置ＩＤを機器へ送信し、機器は機器管理装置ＩＤを記憶すると共に記憶媒体ＩＤ及び機器管理装置ＩＤを記憶媒体へ送信して、記憶媒体は取得した記憶媒体ＩＤ及び機器管理装置ＩＤを記憶して記憶媒体のＩＤ設定が完了することを特徴とする。
【００１３】
請求項５の発明は、自器のシリアルナンバーを記憶した記憶媒体と、自器のシリアルナンバーを記憶して記憶媒体とデータ通信を行う機器と、機器とデータ通信を行うサーバ装置とから構成され、サーバ装置は、記憶媒体及び機器のシリアルナンバーを取得する手段と、記憶媒体及び機器のシリアルナンバーが正規であるか否かを照合する手段と、機器のシリアルナンバーの照合結果が正規であれば機器の起動信号を機器に送信する手段と、記憶媒体及び機器の各シリアルナンバーの照合結果が正規であれば記憶媒体ＩＤを発行して機器に送信する手段と、記憶媒体ＩＤを記憶する手段とを備え、機器は、サーバ装置から取得した記憶媒体ＩＤを記憶媒体へ送信する手段を備え、記憶媒体は、機器から取得した記憶媒体ＩＤを記憶する手段を備えることを特徴とする。
【００１４】
請求項６の発明は、自器のシリアルナンバーを記憶した記憶媒体と、自器のシリアルナンバーを記憶して記憶媒体とデータ通信を行う機器と、機器とデータ通信を行うサーバ装置とから構成されるシステムのＩＤ発行方法において、機器が新規に設置されてサーバ装置との通信が可能になると、機器は機器のシリアルナンバーをサーバ装置へ送信して、サーバ装置は取得した機器のシリアルナンバーが正規であるか否かを照合し、機器のシリアルナンバーの照合結果が正規であれば機器の起動信号を機器へ送信し、機器は記憶媒体とのデータ通信の起動を行って、機器の設定が完了し、次に記憶媒体が記憶媒体のシリアルナンバーを機器へ送信すると、機器は記憶媒体及び機器の各シリアルナンバーをサーバ装置へ送信し、サーバ装置は取得した記憶媒体及び機器の各シリアルナンバーが正規であるか否かを照合して、記憶媒体及び機器の各シリアルナンバーの照合結果が正規であれば記憶媒体ＩＤを発行、記憶すると共に機器へ送信し、機器は記憶媒体ＩＤを記憶媒体へ送信して、記憶媒体は取得した記憶媒体ＩＤを記憶して記憶媒体のＩＤ設定が完了することを特徴とする。
【００１５】
請求項７の発明は、自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成され、サーバ装置は、記憶媒体、機器及び機器管理装置の各シリアルナンバーを取得する手段と、記憶媒体、機器及び機器管理装置の各シリアルナンバーが正規であるか否かを照合する手段と、機器及び機器管理装置の各シリアルナンバーの照合結果が正規であれば機器の起動信号を機器管理装置に送信する手段と、記憶媒体、機器及び機器管理装置の各シリアルナンバーの照合結果が正規であれば記憶媒体ＩＤを発行して機器管理装置に送信する手段と、記憶媒体ＩＤを記憶する手段とを備え、機器管理装置は、サーバ装置から取得した記憶媒体ＩＤ及び機器の起動信号を機器へ送信する手段を備え、機器は、機器管理装置から取得した記憶媒体ＩＤを記憶媒体へ送信する手段を備え、記憶媒体は、機器から取得した記憶媒体ＩＤを記憶する手段を備えることを特徴とする。
【００１６】
請求項８の発明は、自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成されるシステムのＩＤ発行方法において、機器及び機器管理装置が新規に設置されて機器とサーバ装置との機器管理装置を介した通信が可能になると、機器は機器のシリアルナンバーを機器管理装置へ送信し、機器管理装置は機器及び機器管理装置の各シリアルナンバーをサーバ装置へ送信し、サーバ装置は取得した機器及び機器管理装置の各シリアルナンバーが正規であるか否かを照合し、機器及び機器管理装置の各シリアルナンバーの照合結果が正規であれば機器の起動信号を機器管理装置へ送信し、機器管理装置は機器の起動信号を機器へ送信して、機器は記憶媒体とのデータ通信の起動を行って、機器及び機器管理装置の設定が完了し、次に記憶媒体が記憶媒体のシリアルナンバーを機器へ送信すると、機器は記憶媒体及び機器の各シリアルナンバーを機器管理装置へ送信し、機器管理装置は記憶媒体、機器及び機器管理装置の各シリアルナンバーをサーバ装置へ送信し、サーバ装置は取得した記憶媒体、機器及び機器管理装置の各シリアルナンバーが正規であるか否かを照合して、記憶媒体、機器及び機器管理装置の各シリアルナンバーの照合結果が正規であれば記憶媒体ＩＤを発行、記憶すると共に機器管理装置に送信し、機器管理装置は記憶媒体ＩＤを機器へ送信して、機器は記憶媒体ＩＤを記憶媒体へ送信し、記憶媒体は取得した記憶媒体ＩＤを記憶して記憶媒体のＩＤ設定が完了することを特徴とする。
【００１７】
請求項９の発明は、請求項１，３，５，７いずれかにおいて、記憶媒体は、電池と、人体に直接接触して人体を介して大地と電気的に接続される基準電位用電極と、前記基準電位用電極と離間して配置され、人体に直接接触する信号電極と、送信すべき第１のデータを保存するデータメモリと、前記電池によって選択的に通電され、前記第１のデータを第１の変調電圧信号に変換する第１の変調器と、前記電池によって選択的に通電され、前記信号電極と前記基準電位用電極との間に第１の変調電圧信号を印加する第１の信号送信器と、前記電池によって常に通電され、前記信号電極を介してスタート信号を検出するスタート信号検出器と、前記電池によって常に通電され、前記スタート信号検出器に結合されて上記スタート信号を受けたときに前記第１の変調器及び前記第１の信号送信器に通電して前記第１の変調電圧信号を発生させる第１のコントローラとを備え、機器は、大地に結合される回路グランドと、前記記憶媒体を装着した人体の一部に直接接触される１つのタッチ電極と、前記タッチ電極と前記回路グランドとの間に接続され、前記第１の変調電圧信号を検出する第２の信号検出器と、前記第１の変調電圧信号を前記第１のデータに変換する第２の復調器と、前記スタート信号を生成し、前記タッチ電極を介して前記スタート信号を送出するスタート信号発生器と、前記タッチ電極に接続され、前記タッチ電極に人体が触れたときにタッチ信号を発生するタッチセンサと、前記タッチ信号を受けたときに前記スタート信号発生器を通電させて前記スタート信号を発生させ、記憶媒体から機器へのデータ伝送を可能にする第２のコントローラと、外部とデータ通信を行う通信部とを備えることを特徴とする。
【００１８】
【発明の実施の形態】
以下、本発明の実施の形態を図面に基づいて説明する。
【００１９】
（実施形態１）
本実施形態のＩＤ発行システムの構成は図１に示すように、利用者Ｍの体に装着される携帯型記憶媒体１０（以下、第１の送受信器と記載する）と、機器３０（以下、第２の送受信器と記載する）と、第２の送受信器３０と通信回線５０を介してデータ通信を行うサーバ装置６０とを備えており、第１の送受信器１０と第２の送受信器３０との間の信号伝送経路として人体を利用したデータ伝送手段を用いたものである。
【００２０】
まず、第１の送受信器１０と第２の送受信器３０との間の人体を利用したデータ通信について説明する。第１の送受信器１０は信号電極１１及び基準電位用電極１２を有しており、それぞれ利用者Ｍの体に接触するように第１の送受信器１０に保持される。第１の送受信器１０を装着した利用者Ｍが第２の送受信器３０のタッチ電極３１に接触すると、信号電極１１、利用者Ｍの体の一部、タッチ電極３１、第２の送受信器３０の内部回路、第２の送受信器３０の回路グランド３９、基準電位線１００、グランドＧ（大地アース）、利用者Ｍの体の別の部分、基準電位用電極１２、第１の送受信器１０の内部回路という信号経路が確立される。上述した人体を介する信号経路を点線にて示す。
【００２１】
信号電極１１と基準電位用電極１２との間に印加される電圧信号は、利用者Ｍがタッチ電極３１に接触したときに第２の送受信器３０に伝送される。図１に示すように、第２の送受信器３０の回路グランド３９は、簡単のため、基準電位線１００を介してグランドＧに接続される。しかしながら、信号経路を確立するために回路グランド３９をグランドＧに容量的に接続させたり、利用者の体と直接容量的に接続させたりしてもよい。
【００２２】
図２は電池１４により電力供給を受ける様々な回路を備えた第１の送受信器１０の構成を示しており、電力供給を行う電池１４と、送信しようとするデータを蓄積するデータメモリ１５と、コントローラ１６と、データを変調電圧信号に変調する変調器１７と、信号電極１１と基準電位用電極１２との間に変調電圧信号を印加する信号送信器１８と、第２の送受信器３０からのスタート信号を検出するスタート信号検出器２０と、電力スイッチ２１、２２と、ディスプレイ２４などから構成される。なお、信号電極１１と基準電位用電極１２とは互いに５ｍｍから１０ｍｍ程度離間して配置される。
【００２３】
まず、スタート信号検出器２０は、第２の送受信器３０から信号電極１１を介してスタート信号を検出する。スタート信号は信号電極１１と回路グランド１９との間で受信され、回路グランド１９は、基準電位用電極１２に接続されるようにしてもよい。そして、コントローラ１６及びスタート信号検出器２０は常に電池１４によって電力が供給されており、第２の送受信器３０から送信されるスタート信号の検知をレスポンスよく行うことが可能となる。なお、第１の送受信器１０がデータ伝送を行わない非駆動状態にあっては、コントローラ１６はスリープモードにあり、スリープモードでは不要な待機電力の消費を低減することで電池１４の電流消費を少なくしている。
【００２４】
そして、利用者Ｍがタッチ電極３１に触れスタート信号が受信されると、スタート信号検出器２０はコントローラ１６を駆動して、コントローラ１６は、データ伝送を開始すべく、データメモリ１５、変調器１７、信号送信器１８に電池１４からの電力を供給し、信号電極１１と基準電位用電極１２との間に変調電圧信号を印加させる。
【００２５】
さらにコントローラ１６は、タイマーを内蔵しており、タイマーによってスタート信号の検出からの時間を計測して、データ伝送が行われる予め設定された時間を計測する。予め設定された時間が経過すると、コントローラ１６は、変調器１７、信号送信器１８、データメモリ１５への電力供給を停止する。
【００２６】
上述した電力供給を実現するために、コントローラ１６は電力スイッチ２１、２２を備えており、電力スイッチ２１、２２は、スタート信号検出器２０の出力及びタイマーによって駆動されて、変調器１７、信号送信器１８、データメモリ１５への電力供給を選択的に行う。図２における点線は、電池からの電力供給ラインを示している。
【００２７】
そしてデータの送信後、コントローラ１６は再びスリープモードに移行し、スリープモードにあっては、電流及びエネルギーの消費を最小限として、新たなデータ伝送の開始を示すスタート信号の検出のために待機する。なお、タイマー以外の手段を利用してデータ伝送の終端を決定し、スリープモードに移行させるようにしてもよい。
【００２８】
また信号送信器１８は、変調電圧信号を印加する際、電極間にある人体の一部の電気抵抗が変化したとしても影響されないように、信号電極１１と基準電位用電極１２との間に略一定の電流を流すように設計されている。したがって、第２の送受信器３０に対して信頼性の高いデータ伝送を行うことが可能になる。
【００２９】
ディスプレイ２４は、データメモリ１５に蓄積されているデータを可視的に表示するものである。
【００３０】
次に第２の送受信器３０は図３に示すように、送受信器３０のハウジングの外側若しくは外面に露出しているタッチ電極３１に接続されるタッチセンサ３２、スタート信号発生器３３、信号検出器３４と、復調器３５と、コントローラ３６と、電力スイッチ３７、３８と、インターフェース４０と、電源４１と、データメモリ４２と、通信部４３とから構成される。
【００３１】
スタート信号発生器３３、信号検出器３４の一端は回路グランド３９に接続されており、回路グランド３９はグランドＧとの接続のために第２の送受信器３０のグランドターミナル４４に接続される。
【００３２】
タッチセンサ３２は、利用者Ｍの体がタッチ電極３１に触れたときにタッチ信号を与えるようにタッチ電極３１に接続されている。
【００３３】
さらにスタート信号発生器３３は、タッチ信号に応答してタッチ電極３１にスタート信号を印加する。生成されたスタート信号は、例えば、均一なＡＣ電圧信号である。
【００３４】
信号検出器３４は第１の送受信器１０から送信される変調電圧信号を検出するもので、変調電圧信号は第１の送受信器１０から送信され、タッチ電極３１及び回路グランド３９間で受信される。このように検出された変調電圧信号は、復調器３５において第１のデータとして復調される。そして、第１のデータはコントローラ３６に与えられ、そこで処理される、あるいは通信部４３によって通信回線５０を介してサーバ６０に伝送される。
【００３５】
また、インターフェース４４を介して電池４１から電力供給を受けるとともに、データメモリ４２とデータの送受信を行うこともできる。
【００３６】
利用者Ｍがタッチ電極３１に接触していない非駆動状態にあっては、コントローラ３６及びタッチセンサ３２だけが人体の接触を検知すべく電力供給されている。タッチ電極３１に人体が接触された状態にあっては、タッチセンサ３２はコントローラ３６にタッチ信号を与える。するとコントローラ３６はスイッチ３７及びスイッチ３８を閉じ、スタート信号発生器３３、信号検出器３４、復調器３５に電力を供給する。これにより、スタート信号が生成され、第２の送受信器３０が第１の送受信器からのデータを受信する状態へと移行する。
【００３７】
コントローラ３６はタイマーも備える。タイマーは、タッチ信号を受信すると計測を開始し、予め設定された時間の計測を行う。予め設定された時間は、第１の送受信器１０からのデータ伝送が完全に終わると程度に設定される。設定された時間が経過すると、コントローラ３６はスイッチ３７、３８を開き、スタート信号発生器３３、信号検出器３４、復調器３５への電力供給を停止する。これにより、第２の送受信器３０は、再び利用者Ｍがタッチ電極３１に触れるまで電力消費を低減するスリープモードに移行する。図３の点線は電力供給ラインを示している。
【００３８】
以上、第１の送受信器１０と第２の送受信器３０との間のデータ通信について説明したが、次に、第２の送受信器３０が新規に設置されるときの設定と、第１の送受信器１０のＩＤ設定とについて説明する。
【００３９】
ここで、第１の送受信器１０はデータメモリ１５に自器のシリアルナンバーを記憶し、第２の送受信器３０はデータメモリ４２に自器のシリアルナンバーを記憶している。サーバ６０は通信回線５０を介したデータ通信を行う通信手段、データの記憶手段、受信したデータに基づく処理を行う処理手段を備えている。
【００４０】
そして、第２の送受信器３０が新規に設置され、サーバ装置６０との通信が可能になると、（１）第２の送受信器３０からサーバ装置６０へ、通信部４３、通信回線５０を介して第２の送受信器３０のシリアルナンバーが送信され、（２）サーバ装置６０では得られた第２の送受信器３０のシリアルナンバーが正規であるか否かの照合を行い、その照合結果が正規であれば第２の送受信器ＩＤを発行、記憶して第２の送受信器３０へ送信する。第２の送受信器３０において、通信部４３を介して受信した第２の送受信器ＩＤはコントローラ３６に入力されて、第１の送受信器１０との間で行う人体伝送機能の起動信号としても働く。さらに第２の送受信器ＩＤはデータメモリ４２に記憶される。以上で第２の送受信器３０の設定が完了する。
【００４１】
次に第１の送受信器１０を装着した利用者Ｍが第２の送受信器３０に付設されるタッチ電極３１に触れ、データの人体伝送が可能になると、（３）第１の送受信器１０のシリアルナンバーが利用者Ｍを通して第２の送受信器３０に伝達され、（４）第２の送受信器３０のコントローラ３６は自器のシリアルナンバーと得られた第１の送受信器１０のシリアルナンバーとを通信部４３、通信回線５０を介してサーバ装置６０へ送信し、（５）サーバ装置６０は取得した第１の送受信器１０及び第２の送受信器３０の各シリアルナンバーが正規であるか否かの照合を行い、（６）その第１の送受信器１０及び第２の送受信器３０の各シリアルナンバーの照合結果を第２の送受信器３０に送信し、（７）第２の送受信器３０のコントローラ３６はその照合結果が正規であれば第１の送受信器ＩＤを発行し、データメモリ４２に第１の送受信器ＩＤを記憶して、第１の送受信器ＩＤ及び第２の送受信器ＩＤを第１の送受信器１０へ人体伝送によって送信する。（８）第１の送受信器１０のコントローラ１６は取得した第１の送受信器ＩＤ及び第２の送受信器ＩＤをデータメモリ１５に記憶する。以上で第１の送受信器１０のＩＤ設定が完了する。
【００４２】
上記設定が完了すると、サーバ装置６０は第２の送受信器ＩＤのデータ群を保有し、第２の送受信器３０は自器のＩＤと第１の送受信器ＩＤとのデータ群を保有し、第１の送受信器１０は自器のＩＤと第２の送受信器ＩＤとのデータ群を保有する。
【００４３】
運用時において、第２の送受信器３０は自器のＩＤを利用者Ｍを通して第１の送受信器１０に送信し、第１の送受信器１０は得られた第２の送受信器ＩＤとペアである自器のＩＤを、利用者Ｍを通して第２の送受信器３０へ送信し、第２の送受信器３０は、得られた第１の送受信器ＩＤを自器が保有する第１送受信器ＩＤのデータ群の中から照合する。
【００４４】
ここで、本実施形態の第１の送受信器１０を会員証、第２の送受信器３０を会員証認証機器とすると、第１の送受信器ＩＤは会員証ＩＤ、第２の送受信器ＩＤは会員証認証機器ＩＤとなり、例えば店舗での会員証ＩＤの発行・運用に使用することができ、このときサーバ装置６０で正規な会員証１０、会員証認証機器３０であるか否かを照合するためセキュリティ性が向上する。
【００４５】
またこの会員証１０は、会員証認証機器ＩＤと会員証ＩＤとのペアのデータを保有しているため、この会員証１つで、例えば別の店舗に設置されている会員証認証機器３０でも会員証ＩＤの発行・運用が可能となる。
【００４６】
さらに、運用時には、会員証認証機器３０−サーバ装置６０間のアクセス頻度を軽減することができる。
【００４７】
（実施形態２）
実施形態１において第１の送受信器１０を会員証、第２送受信器３０を会員認証機器とし、大型店舗での会員証ＩＤ発行・運用に使用することを想定した場合、会員証認証機器３０が複数台設置されることが十分考えられ、実施形態１では適切な対応が不可能となる。そこで本実施形態では複数台の会員証認証機器に対応したもので、その構成は図４に示すように、複数の会員証認証機器３０ａ，３０ｂ，３０ｃとサーバ装置６０との間に認証機器管理装置７０（例えばパソコン等で構成される）を備えており、会員証認証機器３０ａ，３０ｂ，３０ｃとサーバ装置６０とは認証機器管理装置７０を介して通信を行うもので、認証機器管理装置７０は店舗側にあり、会員証認証機器３０ａ，３０ｂ，３０ｃのサーバ装置６０に対する窓口を一本化するために設けられる。なお、実施形態１と同様の構成には同一の符号を付して説明は省略する。
【００４８】
会員証１０と会員証認証機器３０ａ，３０ｂ，３０ｃとの間の人体を利用したデータ通信については実施形態１と同様であり、以下、会員証認証機器３０ａ及び認証機器管理装置７０が新規に設置されるときの設定と、会員証１０のＩＤ設定とについて説明する。
【００４９】
まず、会員証１０はデータメモリ１５に自器のシリアルナンバーを記憶し、会員証認証機器３０ａ，３０ｂ，３０ｃはデータメモリ４２に自器のシリアルナンバーを各々記憶し、認証機器管路装置７０も自器のシリアルナンバーを記憶している。サーバ６０は通信回線５０を介したデータ通信を行う通信手段、データの記憶手段、受信したデータに基づく処理を行う処理手段を備えている。
【００５０】
まず、認証機器管理装置７０が新規に設置されて、サーバ装置６０との通信が可能となり、新規に設置された会員証認証機器３０ａが認証機器管理装置７０との通信が可能となると、（１）会員証認証機器３０ａから認証機器管理装置７０へ、会員証認証機器３０ａのシリアルナンバーが通信部４３を介して送信され、（２）次に認証機器管理装置７０からサーバー装置６０へ、自器のシリアルナンバーと得られた会員証認証機器３０ａのシリアルナンバーとが通信回線５０を介して送信されて、（３）サーバ装置６０では得られた会員証認証機器３０ａのシリアルナンバーと認証機器管理装置７０のシリアルナンバーとが正規であるか否かの照合を行い、その照合結果が正規であれば認証機器管理装置ＩＤ（店舗ＩＤ）を発行、記憶して、認証機器管理装置ＩＤと会員証認証機器３０ａの起動信号とを認証機器管理装置７０へ送信する。（４）認証機器管理装置７０は、取得した認証機器管理装置ＩＤを記憶して、起動信号を会員証認証機器３０ａへ送信する。会員証認証機器３０ａにおいて、通信部４３を介して受信した起動信号はコントローラ３６に入力されて、会員証１０との間で行う人体伝送機能を起動させる。以上で会員証認証機器３０ａと認証機器管理装置７０との設定が完了する。
【００５１】
次に第１の送受信器１０を装着した利用者Ｍが会員証認証機器３０ａに付設されるタッチ電極３１に触れ、データの人体伝送が可能になると、（５）会員証１０のシリアルナンバーが利用者Ｍを通して会員証認証機器３０ａに伝達され、（６）会員証認証機器３０ａのコントローラ３６は自器のシリアルナンバーと得られた会員証１０のシリアルナンバーとを通信部４３を介して認証機器管理装置７０へ送信し、（７）認証機器管理装置７０は自器のシリアルナンバーと得られた会員証１０のシリアルナンバー及び会員証認証機器３０ａのシリアルナンバーとを通信回線５０を介してサーバ装置６０へ送信し、（８）サーバ装置６０は取得した会員証１０、会員証認証機器３０ａ及び認証機器管理装置７０の各シリアルナンバーが正規であるか否かの照合を行い、（９）その会員証１０、会員証認証機器３０ａ及び認証機器管理装置７０の各シリアルナンバーの照合結果を認証機器管理装置７０に送信し、（１０）認証機器管理装置７０はその照合結果が正規であれば会員証ＩＤを発行、記憶して、会員証ＩＤ及び認証機器管理装置ＩＤを会員証認証機器３０ａへ送信する。（１１）会員証認証機器３０ａのコントローラ３６はデータメモリ４２に認証機器管理装置ＩＤを記憶し、会員証ＩＤ及び認証機器管理装置ＩＤを会員証１０へ人体伝送によって送信する。（１２）会員証１０のコントローラ１６は、取得した会員証ＩＤ及び認証機器管理装置ＩＤをデータメモリ１５に記憶する。以上で会員証１０のＩＤ設定が完了する。
【００５２】
上記設定が完了すると、サーバ装置６０は認証機器管理装置ＩＤのデータ群を保有し、認証機器管理装置７０は自器のＩＤと会員証ＩＤとのデータ群を保有し、会員証認証機器３０ａは認証機器管理装置ＩＤのデータ群を保有し、会員証１０は自器のＩＤと認証機器管理装置ＩＤとのデータ群を保有する。
【００５３】
運用時において、会員証認証機器３０は認証機器管理装置ＩＤを利用者Ｍを通して会員証１０に送信し、会員証１０は得られた認証機器管理装置ＩＤとペアである自器のＩＤを、利用者Ｍを通して会員証認証機器３０へ送信し、会員証認証機器３０は得られた会員証ＩＤをさらに認証機器管理装置７０へ送信し、認証機器管理装置７０は得られた会員証ＩＤを自器が保有する会員証ＩＤのデータ群の中から照合する。
【００５４】
このような構成とすることによって、複数台ある会員証認証機器３０にも対応可能となり、またサーバ装置６０で正規な会員証１０、会員証認証機器３０、認証機器管理装置７０であるか否かを照合するためセキュリティ性が向上する。
【００５５】
またこの会員証１０は、認証機器管理装置ＩＤと会員証ＩＤとのペアのデータを保有しているため、この会員証１つで、例えば別の店舗に設置されている会員証認証機器３０でも会員証ＩＤの発行・運用が可能となる。
【００５６】
さらに、運用時には、認証機器管理装置７０−サーバ装置６０間のアクセス頻度を軽減することができる。
【００５７】
（実施形態３）
本実施形態の構成は実施形態１と同様に図１に示されて、実施形態１と同様の構成には同一の符号を付して説明は省略する。以下、第２の送受信器３０が新規に設置されるときの設定と、第１の送受信器１０のＩＤ設定とについて説明する。
【００５８】
まず、第２の送受信器３０が新規に設置され、サーバ装置６０との通信が可能になると、（１）第２の送受信器３０からサーバ装置６０へ、通信部４３、通信回線５０を介して第２の送受信器３０のシリアルナンバーが送信され、（２）サーバ装置６０では得られた第２の送受信器３０のシリアルナンバーが正規であるか否かの照合を行い、その照合結果が正規であれば起動信号を第２の送受信器３０へ送信する。第２の送受信器３０において、通信部４３を介して受信した起動信号はコントローラ３６に入力されて、第１の送受信器１０との間で行う人体伝送機能を起動させる。以上で第２の送受信器３０の設定が完了する。
【００５９】
次に第１の送受信器１０を装着した利用者Ｍが第２の送受信器３０に付設されるタッチ電極３１に触れ、データの人体伝送が可能になると、（３）第１の送受信器１０のシリアルナンバーが利用者Ｍを通して第２の送受信器３０に伝達され、（４）第２の送受信器３０のコントローラ３６は自器のシリアルナンバーと得られた第１の送受信器１０のシリアルナンバーとを通信部４３、通信回線５０を介してサーバ装置６０へ送信し、（５）サーバ装置６０は取得した第１の送受信器１０及び第２の送受信器３０の各シリアルナンバーが正規であるか否かの照合を行い、その照合結果が正規であれば第１送受信器ＩＤを発行、記憶して、第２送受信器３０へ送信する。（６）第２の送受信器３０のコントローラ３６は第１の送受信器ＩＤを第１の送受信器１０へ人体伝送によって送信する。（７）第１の送受信器１０のコントローラ１６は取得した第１の送受信器ＩＤをデータメモリ１５に記憶する。以上で第１の送受信器１０のＩＤ設定が完了する。
【００６０】
上記設定が完了すると、サーバ装置６０は第１の送受信器ＩＤのデータ群を保有することになる。
【００６１】
運用時において、第１の送受信器１０は自器のＩＤを、利用者Ｍを通して第２の送受信器３０へ送信する。ここで、第２の送受信器３０とサーバ装置６０との間に専用回線がある場合、第２の送受信器３０は、得られた第１の送受信器ＩＤをサーバ装置６０へ送信し、サーバ装置６０では自器が保有する第１送受信器ＩＤのデータ群の中から照合する。
【００６２】
しかし、第２の送受信器３０とサーバ装置６０との間が通常回線の場合には、毎回サーバ装置６０にアクセスすることが困難であるので、例えば回線が空いた深夜にサーバ装置６０から第２の送受信器３０へ第１の送受信器ＩＤのデータ群を送信し、第２の送受信器３０で第１の送受信器ＩＤのデータ群を保有して、照合を行うことも可能である。
【００６３】
なお、本実施形態の第１の送受信器１０を会員証、第２の送受信器３０を会員証認証機器とすると、第１の送受信器ＩＤは会員証ＩＤとなり、例えば店舗での会員証ＩＤの発行・運用に使用することができ、このときサーバ装置６０で正規な会員証１０、会員証認証機器３０であるか否かを照合するためセキュリティ性が向上する。
【００６４】
（実施形態４）
実施形態３において第１の送受信器１０を会員証、第２送受信器３０を会員認証機器とし、大型店舗での会員証ＩＤ発行・運用に使用することを想定した場合、会員証認証機器３０が複数台設置されることが十分考えられ、実施形態３では適切な対応が不可能となる。そこで本実施形態では複数台の会員証認証機器に対応したもので、その構成は実施形態２と同様に図４に示されて、実施形態２と同様の構成には同一の符号を付して説明は省略する。以下、会員証認証機器３０ａ及び認証機器管理装置７０が新規に設置されるときの設定と、会員証１０のＩＤ設定とについて説明する。
【００６５】
まず、認証機器管理装置７０が新規に設置されて、サーバ装置６０との通信が可能となり、新規に設置された会員証認証機器３０ａが認証機器管理装置７０との通信が可能となると、（１）会員証認証機器３０ａから認証機器管理装置７０へ、会員証認証機器３０ａのシリアルナンバーが通信部４３を介して送信され、（２）次に認証機器管理装置７０からサーバー装置６０へ、自器のシリアルナンバーと得られた会員証認証機器３０ａのシリアルナンバーとが通信回線５０を介して送信されて、（３）サーバ装置６０では得られた会員証認証機器３０ａのシリアルナンバーと認証機器管理装置７０のシリアルナンバーとが正規であるか否かの照合を行い、その照合結果が正規であれば会員証認証機器３０ａの起動信号を認証機器管理装置７０へ送信する。（４）認証機器管理装置７０は、得られた起動信号を会員証認証機器３０ａへ送信する。会員証認証機器３０ａにおいて、通信部４３を介して受信した起動信号はコントローラ３６に入力されて、会員証１０との間で行う人体伝送機能を起動させる。以上で会員証認証機器３０ａと認証機器管理装置７０との設定が完了する。
【００６６】
次に第１の送受信器１０を装着した利用者Ｍが会員証認証機器３０ａに付設されるタッチ電極３１に触れ、データの人体伝送が可能になると、（５）会員証１０のシリアルナンバーが利用者Ｍを通して会員証認証機器３０ａに伝達され、（６）会員証認証機器３０ａのコントローラ３６は自器のシリアルナンバーと得られた会員証１０のシリアルナンバーとを通信部４３を介して認証機器管理装置７０へ送信し、（７）認証機器管理装置７０は自器のシリアルナンバーと得られた会員証１０のシリアルナンバー及び会員証認証機器３０ａのシリアルナンバーとを通信回線５０を介してサーバ装置６０へ送信し、（８）サーバ装置６０は取得した会員証１０、会員証認証機器３０ａ及び認証機器管理装置７０の各シリアルナンバーが正規であるか否かの照合を行い、その照合結果が正規であれば会員証ＩＤを発行、記憶して、会員証ＩＤを認証機器管理装置７０へ送信する。（９）認証機器管理装置７０は得られた会員証ＩＤを会員証認証機器３０ａへ送信する。（１０）会員証認証機器３０ａのコントローラ３６は会員証ＩＤを会員証１０へ人体伝送によって送信する。（１１）会員証１０のコントローラ１６は、取得した会員証ＩＤをデータメモリ１５に記憶する。以上で会員証１０のＩＤ設定が完了する。
【００６７】
上記設定が完了すると、サーバ装置６０は会員証ＩＤのデータ群を保有することになる。
【００６８】
運用時において、会員証１０は自器のＩＤを、利用者Ｍを通して会員証認証機器３０へ送信し、会員証認証機器３０はさらに会員証ＩＤを認証機器管理装置７０へ送信する。ここで、認証機器管理装置７０とサーバ装置６０との間に専用回線がある場合、認証機器管理装置７０は、得られた会員証ＩＤをサーバ装置６０へ送信し、サーバ装置６０では自器が保有する会員証ＩＤのデータ群の中から照合する。
【００６９】
しかし、認証機器管理装置７０とサーバ装置６０との間が通常回線の場合には、毎回サーバ装置６０にアクセスすることが困難であるので、例えば回線が空いた深夜にサーバ装置６０から認証機器管理装置７０へ会員証ＩＤのデータ群を送信し、認証機器管理装置７０で会員証ＩＤのデータ群を保有して、照合を行うことも可能である。
【００７０】
このような構成とすることによって、複数台ある会員証認証機器３０にも対応可能となり、またサーバ装置６０で正規な会員証１０、会員証認証機器３０、認証機器管理装置７０であるか否かを照合するためセキュリティ性が向上する。
【００７１】
（実施形態５）
図１の会員認証機器（第２の送受信器）３０あるいは図４の認証機器管理装置７０と、サーバ装置６０との間の通信セキュリティをさらに高め、正規な会員認証機器３０あるいは認証機器管理装置７０であることを確かめる方法としては、例えばＲＳＡ暗号を用いたものがあり、サーバ装置６０は予め、サーバ装置自身の公開鍵及び秘密鍵、会員認証機器３０あるいは認証機器管理装置７０のシリアルナンバーとその公開鍵のデータベースを保有しており、利用者Ｍに配布される会員証１０は会員証自身の秘密鍵を保有している。
【００７２】
そして、会員認証機器３０あるいは認証機器管理装置７０が新規に設置され、サーバ装置６０との通信が可能になると、（１）会員認証機器３０あるいは認証機器管理装置７０は自器のシリアルナンバーをサーバ装置６０に送信し、（２）サーバ装置６０では、得られた会員認証機器３０あるいは認証機器管理装置７０のシリアルナンバーと自器が保有するデータベースとの照合を行い、その照合結果が正規であればペアとなっている公開鍵によって発生させた乱数を暗号化して、その暗号化したデータを会員認証機器３０あるいは認証機器管理装置７０に送信する。（３）そして、会員認証機器３０あるいは認証機器管理装置７０では、得られたデータを自器が保有する秘密鍵で復号化を行い、その復号化したデータを再びサーバ装置６０へ送信する。（４）サーバ装置６０では、得られたデータと発生させた乱数とを比較することによって会員認証機器３０あるいは認証機器管理装置７０が正規なものであるか否かの照合を行うことができる。（５）得られたデータと発生させた乱数とが一致すれば、正規な会員認証機器３０あるいは認証機器管理装置７０であると判断し、会員認証機器３０あるいは認証機器管理装置７０に対して、会員証１０との間で行う人体伝送機能を起動させる起動信号とサーバ公開鍵とを送信する。以後、会員認証機器３０あるいは認証機器管理装置７０と、サーバ装置６０との間のデータのやり取りは、ＲＳＡ暗号を用いることが可能となる。
【００７３】
さらに、サーバ装置６０との間の通信セキュリティをさらに高め、正規な会員認証機器３０あるいは認証機器管理装置７０であることを確かめる別の方法としては、以下のゼロ知識証明によるものがある。
【００７４】
サーバ装置６０は予め、会員認証機器３０あるいは認証機器管理装置７０のシリアルナンバーとその公開鍵とのデータベースを保有しており、利用者Ｍに配布される会員証１０は会員証自身の秘密鍵を保有している。
【００７５】
そして、会員認証機器３０あるいは認証機器管理装置７０が新規に設置され、サーバ装置６０との通信が可能になると、（１）会員認証機器３０あるいは認証機器管理装置７０は自器のシリアルナンバーと、発生させた乱数の２乗をサーバ装置６０が公開しているサーバ公開鍵で割った余りの数値Ａと、前述の乱数と自器の秘密鍵との積をサーバ公開鍵で割った余りの数値Ｂとをサーバ装置６０へ送信し、（２）サーバ装置６０では、得られた会員認証機器３０あるいは認証機器管理装置７０のシリアルナンバーと自器が保有するデータベースとの照合を行い、ペアと成っているサーバ公開鍵と、得られた数値Ａ，ＢよりＢの２乗値をＡで割った数値（この演算はサーバ公開鍵を法としたモジュロ演算）とを比較し、一致するか否かの確認を行う。（３）一致すれば、正規な会員認証機器３０あるいは認証機器管理装置７０であると判断し、会員認証機器３０あるいは認証機器管理装置７０に対して、会員証１０との間で行う人体伝送機能を起動させる起動信号を送信する。
【００７６】
【発明の効果】
請求項１の発明は、自器のシリアルナンバーを記憶した記憶媒体と、自器のシリアルナンバーを記憶して記憶媒体とデータ通信を行う機器と、機器とデータ通信を行うサーバ装置とから構成され、サーバ装置は、記憶媒体及び機器の各シリアルナンバーを取得する手段と、記憶媒体及び機器のシリアルナンバーが正規であるか否かを照合する手段と、機器のシリアルナンバーの照合結果が正規であれば機器ＩＤを発行して機器に送信する手段と、機器ＩＤを記憶する手段と、記憶媒体及び機器の各シリアルナンバーの照合結果を機器に送信する手段とを備え、機器は、サーバ装置から取得した機器ＩＤを記憶する手段と、サーバ装置で行った記憶媒体及び機器の各シリアルナンバーの照合結果が正規であれば記憶媒体ＩＤを発行して記憶媒体ＩＤ及び機器ＩＤを記憶媒体へ送信する手段と、記憶媒体ＩＤを記憶する手段とを備え、記憶媒体は、機器から取得した記憶媒体ＩＤ及び機器ＩＤを記憶する手段を備えるので、正規な記憶媒体及び機器であるかをサーバ装置で確認するためセキュリティ性が向上し、さらに記憶媒体は記憶媒体ＩＤと機器ＩＤとのペアのデータを保有しているため、この記憶媒体１つで例えば他の店舗に設置されている機器でも記憶媒体ＩＤの発行・運用が可能になるという効果がある。また、運用時には、機器−サーバ装置間のアクセス頻度を軽減することができる。
【００７７】
請求項２の発明は、自器のシリアルナンバーを記憶した記憶媒体と、自器のシリアルナンバーを記憶して記憶媒体とデータ通信を行う機器と、機器とデータ通信を行うサーバ装置とから構成されるシステムのＩＤ発行方法において、機器が新規に設置されてサーバ装置との通信が可能になると、機器は機器のシリアルナンバーをサーバ装置へ送信して、サーバ装置は取得した機器のシリアルナンバーが正規であるか否かを照合し、機器のシリアルナンバーの照合結果が正規であれば機器ＩＤを発行、記憶すると共に機器へ送信し、機器は取得した機器ＩＤを記憶すると共に記憶媒体とのデータ通信の起動を行って、機器の設定が完了し、次に記憶媒体が記憶媒体のシリアルナンバーを機器へ送信すると、機器は記憶媒体及び機器の各シリアルナンバーをサーバ装置へ送信し、サーバ装置は取得した記憶媒体及び機器の各シリアルナンバーが正規であるか否かを照合して、記憶媒体及び機器の各シリアルナンバーの照合結果を機器に送信し、機器はサーバ装置で行った記憶媒体及び機器の各シリアルナンバーの照合結果が正規であれば記憶媒体ＩＤを発行、記憶すると共に、記憶媒体ＩＤ及び機器ＩＤを記憶媒体へ送信して、記憶媒体は取得した記憶媒体ＩＤ及び機器ＩＤを記憶して記憶媒体のＩＤ設定が完了するので、正規な記憶媒体及び機器であるかをサーバ装置で確認するためセキュリティ性が向上し、さらに記憶媒体は記憶媒体ＩＤと機器ＩＤとのペアのデータを保有しているため、この記憶媒体１つで例えば他の店舗に設置されている機器でも記憶媒体ＩＤの発行・運用が可能になるという効果がある。また、運用時には、機器−サーバ装置間のアクセス頻度を軽減することができる。
【００７８】
請求項３の発明は、自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成され、サーバ装置は、記憶媒体、機器及び機器管理装置の各シリアルナンバーを取得する手段と、記憶媒体、機器及び機器管理装置の各シリアルナンバーが正規であるか否かを照合する手段と、機器及び機器管理装置の各シリアルナンバーの照合結果が正規であれば機器管理装置ＩＤを発行して機器管理装置ＩＤと機器の起動信号とを機器管理装置に送信する手段と、機器管理装置ＩＤを記憶する手段と、記憶媒体、機器及び機器管理装置の各シリアルナンバーの照合結果を機器管理装置に送信する手段とを備え、機器管理装置は、サーバ装置から取得した機器管理装置ＩＤを記憶する手段と、サーバ装置で行った記憶媒体、機器及び機器管理装置の各シリアルナンバーの照合結果が正規であれば記憶媒体ＩＤを発行して記憶媒体ＩＤ及び機器管理装置ＩＤを機器へ送信する手段と、記憶媒体ＩＤを記憶する手段とを備え、機器は、機器管理装置から取得した記憶媒体ＩＤ及び機器管理装置ＩＤを記憶媒体へ送信する手段と、機器管理装置ＩＤを記憶する手段とを備え、記憶媒体は、機器から取得した記憶媒体ＩＤ及び機器管理装置ＩＤを記憶する手段を備えるので、複数台の機器に対応でき、また正規な記憶媒体、機器及び機器管理装置であるかをサーバ装置で確認するためセキュリティ性が向上し、さらに記憶媒体は記憶媒体ＩＤと機器管理装置ＩＤとのペアのデータを保有しているため、この記憶媒体１つで例えば他の店舗に設置されている機器でも記憶媒体ＩＤの発行・運用が可能になるという効果がある。また、運用時には、機器管理装置−サーバ装置間のアクセス頻度を軽減することができる。
【００７９】
請求項４の発明は、自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成されるシステムのＩＤ発行方法において、機器及び機器管理装置が新規に設置されて機器とサーバ装置との機器管理装置を介した通信が可能になると、機器は機器のシリアルナンバーを機器管理装置へ送信し、機器管理装置は機器及び機器管理装置の各シリアルナンバーをサーバ装置へ送信し、サーバ装置は取得した機器及び機器管理装置の各シリアルナンバーが正規であるか否かを照合し、機器及び機器管理装置の各シリアルナンバーの照合結果が正規であれば機器管理装置ＩＤを発行、記憶すると共に、機器管理装置ＩＤと機器の起動信号とを機器管理装置へ送信し、そして機器管理装置は取得した機器管理装置ＩＤを記憶すると共に機器の起動信号を機器へ送信して、機器は起動信号によって記憶媒体とのデータ通信の起動を行い、機器及び機器管理装置の設定が完了し、次に記憶媒体が記憶媒体のシリアルナンバーを機器へ送信すると、機器は記憶媒体及び機器の各シリアルナンバーを機器管理装置へ送信し、機器管理装置は記憶媒体、機器及び機器管理装置の各シリアルナンバーをサーバ装置へ送信し、サーバ装置は取得した記憶媒体、機器及び機器管理装置の各シリアルナンバーが正規であるか否かを照合して、記憶媒体、機器及び機器管理装置の各シリアルナンバーの照合結果を機器管理装置に送信し、機器管理装置はサーバ装置で行った記憶媒体、機器及び機器管理装置の各シリアルナンバーの照合結果が正規であれば記憶媒体ＩＤを発行、記憶すると共に、記憶媒体ＩＤ及び機器管理装置ＩＤを機器へ送信し、機器は機器管理装置ＩＤを記憶すると共に記憶媒体ＩＤ及び機器管理装置ＩＤを記憶媒体へ送信して、記憶媒体は取得した記憶媒体ＩＤ及び機器管理装置ＩＤを記憶して記憶媒体のＩＤ設定が完了するので、複数台の機器に対応でき、また正規な記憶媒体、機器及び機器管理装置であるかをサーバ装置で確認するためセキュリティ性が向上し、さらに記憶媒体は記憶媒体ＩＤと機器管理装置ＩＤとのペアのデータを保有しているため、この記憶媒体１つで例えば他の店舗に設置されている機器でも記憶媒体ＩＤの発行・運用が可能になるという効果がある。また、運用時には、機器管理装置−サーバ装置間のアクセス頻度を軽減することができる。
【００８０】
請求項５の発明は、自器のシリアルナンバーを記憶した記憶媒体と、自器のシリアルナンバーを記憶して記憶媒体とデータ通信を行う機器と、機器とデータ通信を行うサーバ装置とから構成され、サーバ装置は、記憶媒体及び機器のシリアルナンバーを取得する手段と、記憶媒体及び機器のシリアルナンバーが正規であるか否かを照合する手段と、機器のシリアルナンバーの照合結果が正規であれば機器の起動信号を機器に送信する手段と、記憶媒体及び機器の各シリアルナンバーの照合結果が正規であれば記憶媒体ＩＤを発行して機器に送信する手段と、記憶媒体ＩＤを記憶する手段とを備え、機器は、サーバ装置から取得した記憶媒体ＩＤを記憶媒体へ送信する手段を備え、記憶媒体は、機器から取得した記憶媒体ＩＤを記憶する手段を備えるので、正規な記憶媒体及び機器であるかをサーバ装置で確認するためセキュリティ性が向上するという効果がある。
【００８１】
請求項６の発明は、自器のシリアルナンバーを記憶した記憶媒体と、自器のシリアルナンバーを記憶して記憶媒体とデータ通信を行う機器と、機器とデータ通信を行うサーバ装置とから構成されるシステムのＩＤ発行方法において、機器が新規に設置されてサーバ装置との通信が可能になると、機器は機器のシリアルナンバーをサーバ装置へ送信して、サーバ装置は取得した機器のシリアルナンバーが正規であるか否かを照合し、機器のシリアルナンバーの照合結果が正規であれば機器の起動信号を機器へ送信し、機器は記憶媒体とのデータ通信の起動を行って、機器の設定が完了し、次に記憶媒体が記憶媒体のシリアルナンバーを機器へ送信すると、機器は記憶媒体及び機器の各シリアルナンバーをサーバ装置へ送信し、サーバ装置は取得した記憶媒体及び機器の各シリアルナンバーが正規であるか否かを照合して、記憶媒体及び機器の各シリアルナンバーの照合結果が正規であれば記憶媒体ＩＤを発行、記憶すると共に機器へ送信し、機器は記憶媒体ＩＤを記憶媒体へ送信して、記憶媒体は取得した記憶媒体ＩＤを記憶して記憶媒体のＩＤ設定が完了するので、正規な記憶媒体及び機器であるかをサーバ装置で確認するためセキュリティ性が向上するという効果がある。
【００８２】
請求項７の発明は、自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成され、サーバ装置は、記憶媒体、機器及び機器管理装置の各シリアルナンバーを取得する手段と、記憶媒体、機器及び機器管理装置の各シリアルナンバーが正規であるか否かを照合する手段と、機器及び機器管理装置の各シリアルナンバーの照合結果が正規であれば機器の起動信号を機器管理装置に送信する手段と、記憶媒体、機器及び機器管理装置の各シリアルナンバーの照合結果が正規であれば記憶媒体ＩＤを発行して機器管理装置に送信する手段と、記憶媒体ＩＤを記憶する手段とを備え、機器管理装置は、サーバ装置から取得した記憶媒体ＩＤ及び機器の起動信号を機器へ送信する手段を備え、機器は、機器管理装置から取得した記憶媒体ＩＤを記憶媒体へ送信する手段を備え、記憶媒体は、機器から取得した記憶媒体ＩＤを記憶する手段を備えるので、複数台の機器に対応でき、また正規な記憶媒体、機器及び機器管理装置であるかをサーバ装置で確認するためセキュリティ性が向上するという効果がある。
【００８３】
請求項８の発明は、自器のシリアルナンバーを記憶した記憶媒体と、自器のシリアルナンバーを記憶して記憶媒体とデータ通信を行う複数の機器と、自器のシリアルナンバーを記憶して複数の機器とデータ通信を行う機器管理装置と、機器管理装置を介して複数の機器とデータ通信を行うサーバ装置とから構成されるシステムのＩＤ発行方法において、機器及び機器管理装置が新規に設置されて機器とサーバ装置との機器管理装置を介した通信が可能になると、機器は機器のシリアルナンバーを機器管理装置へ送信し、機器管理装置は機器及び機器管理装置の各シリアルナンバーをサーバ装置へ送信し、サーバ装置は取得した機器及び機器管理装置の各シリアルナンバーが正規であるか否かを照合し、機器及び機器管理装置の各シリアルナンバーの照合結果が正規であれば機器の起動信号を機器管理装置へ送信し、機器管理装置は機器の起動信号を機器へ送信して、機器は記憶媒体とのデータ通信の起動を行って、機器及び機器管理装置の設定が完了し、次に記憶媒体が記憶媒体のシリアルナンバーを機器へ送信すると、機器は記憶媒体及び機器の各シリアルナンバーを機器管理装置へ送信し、機器管理装置は記憶媒体、機器及び機器管理装置の各シリアルナンバーをサーバ装置へ送信し、サーバ装置は取得した記憶媒体、機器及び機器管理装置の各シリアルナンバーが正規であるか否かを照合して、記憶媒体、機器及び機器管理装置の各シリアルナンバーの照合結果が正規であれば記憶媒体ＩＤを発行、記憶すると共に機器管理装置に送信し、機器管理装置は記憶媒体ＩＤを機器へ送信して、機器は記憶媒体ＩＤを記憶媒体へ送信し、記憶媒体は取得した記憶媒体ＩＤを記憶して記憶媒体のＩＤ設定が完了するので、複数台の機器に対応でき、また正規な記憶媒体、機器及び機器管理装置であるかをサーバ装置で確認するためセキュリティ性が向上するという効果がある。
【００８４】
請求項９の発明は、請求項１，３，５，７いずれかにおいて、記憶媒体は、電池と、人体に直接接触して人体を介して大地と電気的に接続される基準電位用電極と、前記基準電位用電極と離間して配置され、人体に直接接触する信号電極と、送信すべき第１のデータを保存するデータメモリと、前記電池によって選択的に通電され、前記第１のデータを第１の変調電圧信号に変換する第１の変調器と、前記電池によって選択的に通電され、前記信号電極と前記基準電位用電極との間に第１の変調電圧信号を印加する第１の信号送信器と、前記電池によって常に通電され、前記信号電極を介してスタート信号を検出するスタート信号検出器と、前記電池によって常に通電され、前記スタート信号検出器に結合されて上記スタート信号を受けたときに前記第１の変調器及び前記第１の信号送信器に通電して前記第１の変調電圧信号を発生させる第１のコントローラとを備え、機器は、大地に結合される回路グランドと、前記記憶媒体を装着した人体の一部に直接接触される１つのタッチ電極と、前記タッチ電極と前記回路グランドとの間に接続され、前記第１の変調電圧信号を検出する第２の信号検出器と、前記第１の変調電圧信号を前記第１のデータに変換する第２の復調器と、前記スタート信号を生成し、前記タッチ電極を介して前記スタート信号を送出するスタート信号発生器と、前記タッチ電極に接続され、前記タッチ電極に人体が触れたときにタッチ信号を発生するタッチセンサと、前記タッチ信号を受けたときに前記スタート信号発生器を通電させて前記スタート信号を発生させ、記憶媒体から機器へのデータ伝送を可能にする第２のコントローラと、外部とデータ通信を行う通信部とを備えるので、記憶媒体を装着した利用者が機器に付設されるタッチ電極に触れるだけで、ＩＤの発行、運用を行うことができるという効果がある。
【図面の簡単な説明】
【図１】本発明の実施形態１，３の構成を示す図である。
【図２】本発明の第１の送受信器の構成を示す図である。
【図３】本発明の第２の送受信器の構成を示す図である。
【図４】本発明の実施形態２，４の構成を示す図である。
【符号の説明】
１０  第１の送受信器
１１  信号電極
１２  基準電位用電極
３０  第２の送受信器
３１  タッチ電極
５０  通信回線
６０  サーバ装置
１００  基準電位線
Ｇ  グランド
Ｍ  利用者
【図１】
2004178219.tif 000003
【図２】
2004178219.tif 000004
【図３】
2004178219.tif 000005
【図４】
2004178219.tif 000006